(57)【要約】  太陽電池パネルと、風力タービンと、燃料電池と、燃料改質器と、他のエネルギー源とを含有する複合発電ボックスを含む、可搬型の展開可能な発電システム。また、該システムは、水処理のための、廃水および飲料水の入口ならびに出口を含み得ると考えられる。また、災害復旧、通信用の非常用電源、軍事力、国土安全保証力、送電線網を利用しない世帯、および国内外での水および廃水のパッケージングのための棚搭載型の太陽光設備および風力タービン設備を可能にする。本発明は、遠隔工事現場または非常事態などにおいて、即時の電力および／または水処理を必要とする任意の状態に関して理想的である。複合発電ボックスは、標準輸送用トラック、列車、または船に取り付けられることが可能であり、国中の所望の場所へ輸送されることが可能である。【選択図】図９
2019501622.tif 000002
【特許請求の範囲】
【請求項１】
可搬型電力供給システムであって、
内部空間を包囲している容器であって、
前記容器内部空間は、選択された複数の電源を含有するように構成されている、容器と、
複数の太陽電池パネルを含む、展開可能な太陽電池組立体であって、前記複数の太陽電池パネルの半分は上部構造枠組みに取り付けられており、それにより上部アレイを構成し、前記複数の太陽電池パネルの別の半分は下部構造枠組みに取り付けられており、それにより下部アレイを構成し、
前記太陽電池組立体が前記容器内部空間内の軌道上に取り付けられている、太陽電池組立体と、
前記容器に取り付けられているパネルであって、前記容器に対して移動するように構成され、それにより前記容器に開口部をもたらす、パネルと、
中心点においてピンで留められている２つの腕部を含む鋏型リフト組立体であって、前記２つの腕部の各々の第１の端部が前記太陽電池組立体に接続されており、前記２つの腕部の各々の第２の端部が前記容器内部空間の内部構造要素に係合しており、
前記鋏型リフト組立体は、前記容器内の第１の格納位置と前記軌道に沿った前記容器の外の第２の暴露位置との間で前記太陽電池を移動させるように構成され、それにより前記太陽電池が前記開口部を通過する、鋏型リフト組立体と、
第１の略水平の配向から第２の展開配向まで、前記上部アレイを移動させるように構成されている上部作動装置腕部と、
第１の略水平の配向から第２の展開配向まで、前記下部アレイを移動させるように構成されている下部作動装置腕部と、を含み、
前記上部アレイおよび前記下部アレイの前記展開配向は、最適な太陽暴露を受けることに基づいて構成されている、システム。
【請求項２】
風力タービン、太陽電池パネルアレイ、水素燃料電池、燃料改質器、電池、ガソリン発電機、およびディーゼル発電機から成る群から選択される複数の電源をさらに含む、請求項１に記載のシステム。
【請求項３】
ＣＰＵおよびデータ記憶装置を有するコンピュータであって、遠隔データ源と通信するように構成されたコンピュータをさらに含み、
前記コンピュータは前記太陽電池の展開を制御するように構成されている、
請求項１に記載のシステム。
【請求項４】
前記コンピュータへデータを供給するように構成されたセンサをさらに含み、
前記コンピュータは前記データを解釈するように構成されており、
前記コンピュータは、前記データに基づいて前記太陽電池を自動的に展開するかまたは格納するようにさらに構成されている、
請求項３に記載のシステム。
【請求項５】
前記センサは、太陽センサ、運動センサ、および音響センサを含むリストから選択されるセンサである、請求項４に記載のシステム。
【請求項６】
天候データを生成する遠隔天候検出システムをさらに含み、
前記コンピュータは、前記天候データを受信するように構成されており、
前記コンピュータは、前記天候データに基づいて前記太陽電池を自動的に展開するかまたは格納するようにさらに構成されている、
請求項３に記載のシステム。
【請求項７】
前記容器内部空間を少なくとも２つの室に分離する壁をさらに含み、
前記少なくとも２つの室の少なくとも１つへの接近が制限されている、
請求項１に記載のシステム。
【請求項８】
前記少なくとも２つの室のうち第１の室への接近を実現するように構成された第１の接近扉と、
前記少なくとも２つの室のうち第２の室への接近を実現するように構成された第２の接近扉と
をさらに含み、
それにより前記第１の接近扉への接近が第一者に限定されており、
それにより前記第２の接近扉への接近が第二者に限定されている、
請求項７に記載のシステム。
【請求項９】
前記第二者は通信会社を含む、請求項８に記載のシステム。
【請求項１０】
前記容器の構造要素に接続されている油圧腕部に係合している前記鋏型リフト組立体の前記２つの腕部の１つ、をさらに含み、
前記油圧腕部は、前記鋏型リフト組立体を前記容器の周辺で水平配向に移動させるために構成されている、
請求項１に記載のシステム。
【請求項１１】
前記容器の構造要素に接続されているレールに係合している滑動要素に取り付けられている前記鋏型リフト組立体の前記２つの腕部の１つ、をさらに含み、
前記滑動要素は前記レールに沿って滑動するように構成されており、それにより前記太陽電池組立体の角度を調節する、
請求項１に記載のシステム。
【請求項１２】
前記容器の外に配置されている少なくとも１つの電力源により生成される電力を貯蔵するために構成されている電池アレイであって、
前記少なくとも１つの電力源は、固形燃料発電機、太陽電池パネルアレイ、電気公益事業、液体燃料発電機、または風力タービンを含むリストから選択される、電池アレイと、
前記電池アレイへの接続部であって、前記容器と近接して配置されている電気機器に、前記接続部を介して直流電力が供給されるように構成されている、接続部と
をさらに含む、請求項１に記載のシステム。
【請求項１３】
遠隔電力供給システムを展開する方法であって、
コンピュータを用いて、選択的に展開可能な太陽電池組立体を制御するステップであって、前記太陽電池組立体は複数の太陽電池パネルを含み、前記複数の太陽電池パネルの半分が上部構造枠組みに取り付けられており、それにより上部アレイを構成し、前記複数の太陽電池パネルの別の半分が下部構造枠組みに取り付けられており、それにより下部アレイを構成し、前記コンピュータはＣＰＵおよびデータ記憶素子を含む、ステップと、
前記コンピュータを用いて、前記太陽電池組立体の展開に関する少なくとも１つの展開基準を決定するステップと、
内部空間を包囲している容器に取り付けられているパネルを開くステップであって、前記容器内部空間は、前記太陽電池組立体を含む前記遠隔電力供給システムを収容している、ステップと、
前記容器内部空間内の第１の格納位置から、前記容器内部空間の外に配置されている第２の外部位置へ、前記太陽電池組立体を移動させるステップと、
前記第２の外部位置から第３の展開位置へ、前記太陽電池組立体を開くステップであって、上部作動装置が、前記上部アレイを、太陽暴露を受けるために最適な角度で配置し、下部作動装置が、前記下部アレイを、太陽暴露を受けるために最適な角度で配置する、ステップと、
前記コンピュータを用いて、前記太陽電池組立体の格納に関する少なくとも１つの格納基準を決定するステップと、
前記上部作動装置および前記下部作動装置を用いて、前記太陽電池組立体を閉じるステップと、
それにより、前記第３の展開位置から前記第２の外部位置へ、前記太陽電池組立体を移動させるステップと、
前記第２の外部位置から前記第１の格納位置へ、前記太陽電池組立体を格納するステップと、
前記パネルを閉じるステップと
を含む、方法。
【請求項１４】
センサを用いて事象を検出するステップと、
前記センサを用いて前記コンピュータへ通知を送信するステップと、
前記コンピュータを用いて前記通知を分析して、前記展開基準を確立するステップと
をさらに含む、請求項１３に記載の方法。
【請求項１５】
前記センサは、太陽センサ、運動センサ、および音響センサを含むリストから選択されるセンサである、請求項１４に記載の方法。
【請求項１６】
センサを用いて事象を検出するステップと、
前記センサを用いて前記コンピュータへ通知を送信するステップと、
前記コンピュータを用いて前記通知を分析して、前記格納基準を確立するステップと
をさらに含む、請求項１３に記載の方法。
【請求項１７】
前記センサは、太陽センサ、運動センサ、および音響センサを含むリストから選択されるセンサである、請求項１６に記載の方法。
【請求項１８】
遠隔天候検出システムを用いて事象を検出するステップと、
前記遠隔天候検出システムを用いて、コンピュータ通信ネットワークにより、前記コンピュータへ通知を送信するステップと、
前記コンピュータを用いて前記通知を分析して、前記格納基準を確立するステップと
をさらに含む、請求項１３に記載の方法。
【請求項１９】
遠隔天候検出システムを用いて事象を検出するステップと、
前記遠隔天候展開システムを用いて、コンピュータ通信ネットワークにより、前記コンピュータへ通知を送信するステップと、
前記コンピュータを用いて前記通知を分析して、前記格納基準を確立するステップと
をさらに含む、請求項１３に記載の方法。
【発明の詳細な説明】
【技術分野】
【０００１】
関連出願の相互参照
[0001]本願は、２０１２年２月１７日に出願された米国仮特許出願第６１／６００，０９４号の優先権を主張する、現在では米国特許第９，２２１，１３６号である、２０１３年２月１５日に出願された米国特許出願公開第１３／７６９，１１３号の一部継続出願でありかつその優先権を主張する、２０１５年１０月１４日に出願された米国特許出願公開第１４／８８３，３３５号の優先権を主張するものであり、それら全てが参照により援用されている。
【０００２】
[0002]本発明は、全般的に、可搬型の展開可能な再生可能エネルギー発電ボックスに関し、より具体的には、再生可能エネルギーおよび他の一次的なまたは半永久的なサービスを供給するために、遠隔地および緊急事態において使用するための発電ボックスに関する。
【背景技術】
【０００３】
[0003]緊急救援事態や、軍隊配備状態時、工事現場、および居留区から遠く離れた遠隔地では、電力および水処理の問題は重大な位置を占める。人は、ガソリンを動力とする発電機に依存して一次的な電力を供給することが多いが、これは極めて非効率的な方法である。
【０００４】
[0004]小さい可搬型太陽光発電システムが、ラップトップコンピュータおよび携帯電話などの可搬型電子デバイスを充電するために生み出されてきたが、既存のシステムは使用が限られている。
【発明の概要】
【発明が解決しようとする課題】
【０００５】
[0005]必要とされるのは、大量の電力および／または水処理の解決策を生み出すための手段を遠隔地へ迅速に輸送する方法である。
[0006]従来、本発明の利点および特徴を備えた、展開可能な複合発電ボックスが入手不可能であった。
【課題を解決するための手段】
【０００６】
[0007]本発明は、太陽電池パネルと、風力タービンと、燃料電池と、燃料改質器と、他のエネルギー源とを含有する複合発電ボックスを含む、可搬型の展開可能なシステムに関する。また、該システムは、水処理用の、廃水および飲料水の入口ならびに出口を含み得ると考えられる。また、災害復旧、通信用の非常用電源、軍事力、国土安全保証力、送電線網を利用しない世帯、および国内外での水および廃水のパッケージング（ｐａｃｋａｇｉｎｇ）のための、棚搭載型の太陽光設備および風力タービン設備を可能にする。
【０００７】
[0008]使用中、本発明は、遠隔地に、緊急事態の現場に配置されているか、または、別途動力を供給される場所のための非常用電源として使用されてもよい。
[0009]発電ボックスは、様々な組合せで様々なエネルギー生成手段を含有していてもよい。例示的実施形態が、風力タービンと、太陽電池パネルアレイと、いくつかの燃料電池または燃料改質器とを含む。該ボックスは、電力が必要とされる局在の場所に配置されることが可能であり、様々なエネルギー生成デバイスが展開され得る。ボックスは、使用されている電力を超過して生成されたエネルギーを貯蔵するいくつかの充電式電池を含有していてもよい。
【０００８】
[0010]また、ボックスが、廃水または飲料水の処理のための手段を含有していてもよい。ボックスは、現代のＲＶ車と類似した水貯蔵タンクを含有していてもよいか、またはそれはシステム内へ入力された水を浄化する方法を有していてもよい。ボックスは廃水を類似の容器内に貯蔵してもよいか、または実際に内部で廃水を処理し、処理水を出力してもよい。
【０００９】
[0011]図面は本明細書の一部を成し、本発明の様々な目的および特徴を示す、本発明の例示的実施形態を含む。
【図面の簡単な説明】
【００１０】
【図１】[0012]本発明の実施形態の等角図である。
【図２】[0013]反対側角部から見られた、同実施形態の等角図である。
【図３】[0014]切取り部を通して内部構成要素を示す、本発明の実施形態の等角図である。
【図４】[0015]展開されている内部構成要素を例示する、本発明の実施形態の等角図である。
【図５Ａ】[0016]本体から取り出されている風力タービンを例示する、本発明の実施形態の等角図である。
【図５Ｂ】[0017]回転させられておりかつ最終位置内へ持ち上げられている風力タービンを示す、同実施形態の等角図である。
【図６】[0018]本発明の代替的実施形態の等角図である。
【図７】[0019]代替的実施形態の内部の切取り図を示す、該代替的実施形態の別の等角図である。
【図８】[0020]容器から延出している太陽電池パネルアレイを示す、該代替的実施形態の別の等角図である。
【図９】[0021]完全に延出され、開かれている太陽電池パネルアレイを示す、該代替的実施形態の別の等角図である。
【図１０】[0022]容器の内部に配置されている構成要素の図表示を含む、該代替的実施形態の別の側面立面図である。
【図１１】[0023]本発明の実施形態を実践する場合に行われるステップを図で示す流れ図である。
【図１２】[0024]鋏型発動機を含む付加的特徴を開示する、本発明の代替的実施形態の３次元等角図である。
【図１３】[0025]該付加的特徴の鋏型発動機要素の側面立面図である。
【図１４】[0026]該鋏型発動機要素の上面平面図である。
【図１５】[0027]該鋏型発動機要素の正面立面図である。
【図１６】[0028]付加的特徴を示す、本発明の代替的実施形態の３次元等角図である。
【図１７】[0029]付加的特徴を図で示す、該代替的実施形態の側面立面図である。
【発明を実施するための形態】
【００１１】
Ｉ．導入と環境
[0030]必要に応じて、本発明の詳細な態様が本明細書において開示されるが、開示されている態様は本発明の例示的なものに過ぎず、それは様々な形態で具体化され得ることが理解されるべきである。したがって、本明細書において開示されている特定の構造的詳細および機能的詳細が限定的であると解釈されるべきでなく、単に特許請求の範囲の基礎として、実質的に任意の適切な詳細な構造において本発明をどのように様々に用いるかを当業者に教示する代表的な基準として解釈されるべきである。
【００１２】
[0031]ある専門用語が、以下の説明において参照の便宜のためにのみ用いられ、限定的でない。例えば、「上方」、「下方」、「正面」、「背面」、「右」および「左」が、参照されている図において配向されている本発明を指す。語「内向きに」および「外向きに」は、説明されている態様および該態様の指定されている部分の幾何学的中心に向かうかつそれから離れる方向それぞれを指す。適切な場合、「前方に」および「後方に」は、一般に、移動方向に関する。前記専門用語は、具体的に言及されている語、それの派生語、および同様の意味の語を含む。
【００１３】
[0032]本発明は、完全な再生可能エネルギーシステムを単一の可搬型のパッケージ内で完成させ、試験することにより、発電の遠隔試運転の問題を解決する。そのパッケージは、即座の発電および／または水処理のために、仕事の現場または遠隔地へ輸送される。
【００１４】
[0033]本発明は、一般に、緊急対処事態、隔絶された送電線網を利用しない場所、工事現場、軍事区域および第３世界の国を含む特定の状態および場所において使用するための複数の発電要素および水処理要素を含有する輸送容器４を含む可搬型発電ボックスシステム２を特徴とする。好適な実施形態は、２．４３８メートル（８フィート）×３．０４８メートル（１０フィート）×６．０９６メートル（２０フィート）または２．４３８メートル（８フィート）×３．０４８メートル（１０フィート）×１２．１９メートル（４０フィート）の寸法を有する標準ＩＳＯ輸送用容器を占有する。しかし、大きさは、特定のボックスに関して何の構成要素が必要かに応じて変化する可能性がある。理想的には、太陽エネルギーおよび風力などの再生可能エネルギー源が使用されるが、ガソリン発電機または他の電源がさらなる発電のために含まれ得る。
【００１５】
ＩＩ．好適な実施形態または態様の可搬型複合発電システム２
[0034]本明細書において検討されている実施形態は、本発明を作製し使用するための特定の方法の例示的なものに過ぎず、本発明の範囲を限定すると解釈されるべきはない。
【００１６】
[0035]図面を詳細に参照すると、図１は、１つの角部からとられた、複合発電システム２の斜視図を示す。該システムは、主に、輸送容器ボックス４、通常はＩＳＯ輸送用容器を含む。一対の扉６がボックス４の一側面に蝶番で取り付けられている。あるいは、これらの扉は、回転上下扉または任意の他のタイプの一般的開口部であり得る。これらの扉は、ボックス４内に格納されている内部構成要素への接近を実現する。
【００１７】
[0036]風力タービン接近窓８が閉状態で示されている。この窓パネルはボックス４の側面内に切り込まれており、風力タービン発電サブシステム２６がボックス４の内部から取り出されることを可能にする。
【００１８】
[0037]図２により明瞭に示されている通り、いくつかの頂部ブラケット１０および側面ブラケット１８が、最適な整列のために太陽電池パネルアレイ２０を固定するのに使用するために、ボックス４の外面に取り付けられていてもよい。
【００１９】
[0038]図１の反対側の角部から示されている図２が、燃料電池発電サブシステム４２を含む、ボックス４内の発電要素への接近を可能にする、側面窓１２と背面窓１４とを示す。別の窓１６が、太陽電池パネルアレイ２０がボックス４の範囲内から外へ延出することを可能にする。
【００２０】
[0039]図３は、可搬型発電システム２で使用するための様々な発電要素および他の要素を含むボックス４の内部を見ることを実現する。図３に示されている実施形態は、風力タービン発電サブシステム２６と、太陽電池パネルアレイ２０と、燃料電池発電サブシステム４２と、保存戸棚３８と、様々な発電サブシステムにより生成された電力を貯蔵するいくつかの電池４０とを含む。
【００２１】
[0040]例示的風力タービンサブシステムが、一対の取付けレール３０により滑動基部３２に蝶番で取り付けられているタービン基部２８を含む。油圧伸展腕部３４がタービン基部に取り付けられており、風力タービン羽根３６を上げ下げする。図５Ａおよび図５Ｂにより詳細に示されている通り、風力タービン発電サブシステム２６は、窓パネル８が開かれるかまたは取り除かれた場合にそのパネルにより残されている空間を通って滑動する。風力サブシステムは、ボックスの床部に取り付けられているレール基部３５に接続されている一対のレール３７上でボックス４から外へ滑動する。図５Ａに示されているように風力サブシステムが外へ滑動すると、タービン基部２８は、図５Ｂに示されているように９０度回転させられることが可能であり、風力羽根３６は空中へ持ち上げられて、風力からクリーンな電気を生成することができる。
【００２２】
[0041]図４に示されている通り、例示的太陽電池パネルアレイ２０が、太陽電池パネル枠組み２１上に取り付けられている複数の太陽電池パネル２２を含む。そのようなアレイの一実施形態は、図３に示されているように、格納されると互いの上に折り畳まれるが、蝶番で接続されておりかつ図４に示されるようにさらなる太陽光収集のために延出させられ得る複数のパネルセットを含んでいてもよい。本発明の実施形態では、太陽電池２０は、頂部ブラケット１０に接続するいくつかの枠組み部材２４と、使用されている時にアレイを固定する側面ブラケット１８とを含む。
【００２３】
[0042]また、本発明の実施形態が水処理サブシステムを含んでいてもよい。図３に示されている通り、飲料水入口４４および飲料水出口４６が、ボックス４内の貯蔵タンク（図示せず）に、または水が処理され次いで貯蔵される水処理デバイス（図示せず）内へ、水が追加されることを可能にすると考えられる。該水は、次いで、飲料水として使用され得る。
【００２４】
[0043]同様に、廃水入口４８および廃水出口５０が、廃水の貯蔵および排水および／または処理を可能にすると考えられる。このことは、廃水が健康上の懸念である非常事態において特に効果的であり得る。
【００２５】
[0044]システム全体は標準輸送用容器の内部に含有されるため、システムは、輸送トラック、列車、または荷船により、遠隔地へ配達され得る。より小さいボックス内に格納されているより小さいシステムが、標準の商業用ピックアップトラックのバック内でまたはトレーラ上で配達され得る。
【００２６】
ＩＩＩ．代替的実施形態または態様の可搬型複合発電システム１０２
[0045]図６〜図１０は、可搬型複合発電システム１０２の代替的実施形態を示す。図６は、パネル１１８が移動して、太陽電池パネルアレイ１１５のための開口部１１６を露出することを可能にする蝶番１２０または他の適切な接続要素により容器に接続されているパネル１１８を含む容器ユニット１０４を示す。
【００２７】
[0046]図７は、容器１０４の内部構造のいくらかの切取り図を示す。一対の軌道１２４が容器１０４の両端部に取り付けられている。対応するレール１２６が、太陽電池パネルアレイ１１５の両端部に取り付けられており、該レール１２６はアレイ１１５を軌道１２４に取り付けており、アレイ全体が、パネル１１８により暴露される、容器１０４にある開口部１１６内へ滑り込みかつそこから外へ滑り出ることを可能にする。好適な実施形態では、アレイ１１５は、枠組み１２１に取り付けられているかまたは枠組み内に直接構築されているいくつかの太陽電池パネル１２２を含む。アレイ１１５は、図８および図９により明瞭に示されているように、上部パネルセット１２２と下部パネルセット１２２とを含む。図８は、容器１０４の内部から完全に延出されているアレイ１１５を示す。該アレイ１１５は、油圧腕部、滑車、または容器の開口部１１６から外へアレイを案内する任意の他の適切な機械的手段もしくは電気的手段を使用することにより、軌道１２４に沿って移動させられ得る。
【００２８】
[0047]図９は、上部パネルセットと下部パネルセットとが、電力を供給するために太陽光を受けるのに最適な角度まで押し出された時の、アレイ１１５を示す。図１０に示されている通り、上部枠組み１３０に接続されている上部油圧腕部１２８が上部パネルセットを上方へ押し、一方、下部枠組み１３１に接続されている下部油圧腕部１２９が下部パネルセットを図８に示されている開始位置から離して下方へかつ外向きに押す。
【００２９】
[0048]図１０は、発電システム１０２の内部に含まれている様々な機器をさらに示す。ＣＰＵおよびデータ記憶装置１３３を有するコンピュータが、発電システム１０２の大部分を制御し、自動化する。コンピュータは、天候データ１３８を供給する源などの外部源と通信するための無線コンピュータネットワーク１３６に理想的に接続されている。他のセンサが、日光が存在する時を示す日照センサ１３４および容器１０４に近接している人の存在を検出する近接センサ１３２などのコンピュータに接続されていてもよい。該近接センサは、運動センサ、音響センサ、またはそれらの何らかの変形形態もしくは組合せであってもよい。また、近接センサおよび日照センサは、無線ネットワーク１３６によりコンピュータＣＰＵ１３３へデータを送信する外部源に置き換えられてもよい。
【００３０】
[0049]コンピュータ１３３の目的は、太陽電池パネルアレイ１１５が展開されるかまたは容器内に格納される時を制御することである。天候、干渉、窃盗、または他の負の作用による損傷を防止するために、システムは、様々な環境において太陽電池パネルアレイ１１５を格納するように自動化されている。
【００３１】
[0050]図１１は、本発明の自動化された部分を実践して、前段で検討されているように損傷および窃盗を防止するために必要なステップを示す。１５０において、過程が開始する。コンピュータは無線ネットワークによりセンサまたは他の第三者源から情報を受信し、１５２において、日光が存在するかどうかを確認する。日光が存在する場合、１５４において、システムは近傍に障害物がないことを確認する。このステップは窃盗または器物損壊の潜在的脅威を検出する。脅威がない場合、１５６において、システムは、アレイを損傷し得る嵐の可能性がないことを確認するために、天候を確認する。これら３つの確認のいずれかが不合格であった場合、システムは、全ての必要な確認が満たされるまで確認し続ける。また、他の確認が採用されてもよい。
【００３２】
[0051]確認の全てが合格であった場合、１５８において、太陽電池は延出され、太陽エネルギーを収集し、電力を生成することを開始する。１６０において、コンピュータは、次いで、セキュリティチェックを起動させる。再度、１６２において、コンピュータは日光を能動的に監視する。太陽が遮られるかまたは沈んだ場合、１６８において、太陽電池が格納し、１７０において、過程が終了する。同様に、１６４において、近接センサまたは他の類似のデバイスにより脅威が検出された場合、１６８において、太陽電池が格納し、１７０において、過程が終了する。また、１６６において、コンピュータが、損傷する可能性がある天候が容器１０４に接近していることを示す天気予報を受信した場合、１６８において、太陽電池が自動的に格納し、１７０において、過程が終了する。いずれの確認も不合格でない場合、セキュリティチェックはシステム１０２の監視を継続する。
【００３３】
ＩＶ．代替的実施形態または態様の可搬型複合発電システム２０２
[0052]図１２〜図１７は、遠隔地において電力および他のサービスを生成するかまたは供給するために複数の特徴および機能を収容する容器体２０４を含むさらに別の代替的実施形態の複合発電システム２０２を示す。
【００３４】
[0053]図１２は、前段で検討されているシステム２、１０２と非常に類似の複合発電システム２０２を示す。容器２０４が、容器２０４の外への展開および嵐の間、夜間、または危険もしくはセキュリティ問題の検出時間などの使用中でない場合の容器内での格納ために、複数の太陽電池パネル２２２を収容する枠組み２２１を含む太陽電池パネルアレイ２１５を含む。ここで、太陽電池パネルアレイ２１５は、構造全体を容器２０４内へかつそれから外へ案内するのに役立つ一対の経路レール２３２に沿って取り付けられている一対の構造梁２３４に接続されている。アレイ２１５が容器の外側にある場合、枠組み２２１およびパネル２２２は、太陽電池パネルを太陽に向くように移動させる油圧腕部２２８を用いて、最適な日光を得るように配置され得る。これは、前段でシステム１０２に関して検討されている過程に非常に類似している。
【００３５】
[0054]鋏型リフト組立体２３０が、太陽電池パネルアレイ２１５を容器２０４内へかつそれから外へ移動させるように動作する。このリフト組立体はもっぱらアレイを水平に移動させ、その後、太陽電池パネルアレイ２１５の油圧腕部２２８は、パネル２２２を垂直配向に移動させる。鋏型リフト組立体２３０は、鋏型リフト腕部２３６の端部が自由に枢動することを可能にする４つのコネクタ接続部２４４において、容器および構造梁２３４に接続する。中心ピン２４６が、中心位置において２つの鋏腕部２３６を接続し、２つの腕部がその点を中心として鋏のように動作する（ｓｃｉｓｓｏｒ）ことを可能にする。一方の鋏腕部２３６の一方の端部が、鋏型リフト２３６に動力を供給する油圧腕部２３８に接続されている。他方の鋏腕部２３６の反対側端部は、レール２４０と係合されている滑動部２４２に接続しており、太陽電池パネルアレイ２１５が容器２０４から外へ押し出された時に鋏腕部がレールに沿って滑動することを可能にする。また、これは、太陽電池パネルアレイ２１５に角度配向をもたらすのに使用され得ると考えられる。
【００３６】
[0055]また、容器の内部内の含有室２５２を分離する随意の内壁２５０が図１２に示されている。この室は燃料タンク、発電機、電池、または防火目的もしくはセキュリティ目的のために分離される他の機器を格納するのに使用されて、それらの物品への接近を、許可された人のみに限定してもよい。
【００３７】
[0056]図１３〜図１６は、鋏型リフト組立体２３０をより詳細に示す。
[0057]図１６は、容器２０４の外面図を示す。本例は、３つの代替的接近扉２４８Ａ、２４８Ｂ、および２４８Ｃを示し、各々は、ケーブルまたは他のサービスを容器２０４内へかつそれから外へ通すための接近導管２５４を備える。各扉は、容器システム２０２を利用する別個の存在に属すると考えられる。例えば、通信では、全てが容器２０４に接近できることを望むがそれらの別個の機器を安全にかつ保護された状態に保つことを望むいくつかの会社が存在する。各会社は、次いで、容器の部分を賃貸し、容器のその部分に格納されている機器のみに安全に接近でき、一方、他社の機器のセキュリティを維持すると考えられる。側部室２５２は、やはり、正面扉２４８Ａ、２４８Ｂ、２４８Ｃに接近できる存在からさらに別個に接近され得ると考えられる。
【００３８】
[0058]また、前の実施形態の風力タービンサブシステム２６が示されており、ここでは、風力タービン３６なしで、しかし代わりに監視用のまたは容器システム２０２へもしくはそこから通信データを配達するアンテナアレイ２７０を備えている。そうでなければ、この組立体は前段で検討されているシステムと同一または類似であると考えられる。
【００３９】
[0059]図１７は、容器システム２０２の線図を示し、外部商用電源、外部の太陽もしくは他の方法での再生可能エネルギー、外部固形燃料エネルギー（例えば、木材燃焼）、または外部燃料源エネルギー（例えば、ディーゼル発電機）などの複数のエネルギー入力源２５６。エネルギーは容器内の受け器２５８または変換器２６０に進入し、そこで該エネルギーが変換され、電池２６２内へ貯蔵される。このように、ＤＣ電力は、外部機器２６６が必要な時に電力を使用することを可能にする接近口２６４を介して接近されることが可能であり、それにより遠隔地での現地使用のための確実なＤＣ電力を供給することが可能である。図示の通り、容器は地面２０３上に配置されているかまたはセキュリティ目的のために持ち上げられていてもよい。
【００４０】
[0060]本発明のある実施形態および／または態様が示され、説明されたが、本発明はそれらに限定されず、様々な他の実施形態および態様を包含することが理解されるべきである。
【図１】
2019501622.tif 000003
【図２】
2019501622.tif 000004
【図３】
2019501622.tif 000005
【図４】
2019501622.tif 000006
【図５Ａ】
2019501622.tif 000007
【図５Ｂ】
2019501622.tif 000008
【図６】
2019501622.tif 000009
【図７】
2019501622.tif 000010
【図８】
2019501622.tif 000011
【図９】
2019501622.tif 000012
【図１０】
2019501622.tif 000013
【図１１】
2019501622.tif 000014
【図１２】
2019501622.tif 000015
【図１３】
2019501622.tif 000016
【図１４】
2019501622.tif 000017
【図１５】
2019501622.tif 000018
【図１６】
2019501622.tif 000019
【図１７】
2019501622.tif 000020
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
可搬型電力供給システムであって、
内部空間を包囲している容器であって、
前記容器内部空間は、選択された複数の電源を含有するように構成されている、容器と、
複数の太陽電池パネルを含む、展開可能な太陽電池組立体であって、前記複数の太陽電池パネルの半分は上部構造枠組みに取り付けられており、それにより上部アレイを構成し、前記複数の太陽電池パネルの別の半分は下部構造枠組みに取り付けられており、それにより下部アレイを構成し、
前記太陽電池組立体が前記容器内部空間内の軌道上に取り付けられている、太陽電池組立体と、
前記容器に取り付けられているパネルであって、前記容器に対して移動するように構成され、それにより前記容器に開口部をもたらす、パネルと、
中心点においてピンで留められている２つの腕部を含む、水平に配向された鋏型リフト組立体であって、前記２つの腕部の各々の第１の端部が前記太陽電池組立体に接続されており、前記２つの腕部の各々の第２の端部が前記容器内部空間の内部構造要素に係合しており、
前記鋏型リフト組立体は、前記容器内の第１の格納位置と前記軌道に沿った前記容器の外の第２の暴露位置との間で前記太陽電池を移動させるように構成され、それにより前記太陽電池が前記開口部を通過する、水平に配向された鋏型リフト組立体と、
第１の略水平の配向から第２の展開配向まで、前記上部アレイを移動させるように構成されている上部作動装置腕部と、
第１の略水平の配向から第２の展開配向まで、前記下部アレイを移動させるように構成されている下部作動装置腕部と、を含み、
前記上部アレイおよび前記下部アレイの前記展開配向は、最適な太陽暴露を受けることに基づいて構成されている、システム。
【請求項２】
風力タービン、太陽電池パネルアレイ、水素燃料電池、燃料改質器、電池、ガソリン発電機、およびディーゼル発電機から成る群から選択される複数の電源をさらに含む、請求項１に記載のシステム。
【請求項３】
ＣＰＵおよびデータ記憶装置を有するコンピュータであって、遠隔データ源と通信するように構成されたコンピュータをさらに含み、
前記コンピュータは前記太陽電池の展開を制御するように構成されている、
請求項１に記載のシステム。
【請求項４】
前記コンピュータへデータを供給するように構成されたセンサをさらに含み、
前記コンピュータは前記データを解釈するように構成されており、
前記コンピュータは、前記データに基づいて前記太陽電池を自動的に展開するかまたは格納するようにさらに構成されている、
請求項３に記載のシステム。
【請求項５】
前記センサは、太陽センサ、運動センサ、および音響センサを含むリストから選択されるセンサである、請求項４に記載のシステム。
【請求項６】
天候データを生成する遠隔天候検出システムをさらに含み、
前記コンピュータは、前記天候データを受信するように構成されており、
前記コンピュータは、前記天候データに基づいて前記太陽電池を自動的に展開するかまたは格納するようにさらに構成されている、
請求項３に記載のシステム。
【請求項７】
前記容器内部空間を少なくとも２つの室に分離する壁をさらに含み、
前記少なくとも２つの室の少なくとも１つへの接近が制限されている、
請求項１に記載のシステム。
【請求項８】
前記少なくとも２つの室のうち第１の室への接近を実現するように構成された第１の接近扉と、
前記少なくとも２つの室のうち第２の室への接近を実現するように構成された第２の接近扉と
をさらに含み、
それにより前記第１の接近扉への接近が第一者に限定されており、
それにより前記第２の接近扉への接近が第二者に限定されている、
請求項７に記載のシステム。
【請求項９】
前記第二者は通信会社を含む、請求項８に記載のシステム。
【請求項１０】
前記容器の構造要素に接続されている油圧腕部に係合している前記鋏型リフト組立体の前記２つの腕部の１つ、をさらに含み、
前記油圧腕部は、前記鋏型リフト組立体を前記容器の周辺で水平配向に移動させるために構成されている、
請求項１に記載のシステム。
【請求項１１】
前記容器の構造要素に接続されているレールに係合している滑動要素に取り付けられている前記鋏型リフト組立体の前記２つの腕部の１つ、をさらに含み、
前記滑動要素は前記レールに沿って滑動するように構成されており、それにより前記太陽電池組立体の角度を調節する、
請求項１に記載のシステム。
【請求項１２】
前記容器の外に配置されている少なくとも１つの電力源により生成される電力を貯蔵するために構成されている電池アレイであって、
前記少なくとも１つの電力源は、固形燃料発電機、太陽電池パネルアレイ、電気公益事業、液体燃料発電機、または風力タービンを含むリストから選択される、電池アレイと、
前記電池アレイへの接続部であって、前記容器と近接して配置されている電気機器に、前記接続部を介して直流電力が供給されるように構成されている、接続部と
をさらに含む、請求項１に記載のシステム。
【請求項１３】
遠隔電力供給システムを展開する方法であって、
コンピュータを用いて、選択的に展開可能な太陽電池組立体を制御するステップであって、前記太陽電池組立体は複数の太陽電池パネルを含み、前記複数の太陽電池パネルの半分が上部構造枠組みに取り付けられており、それにより上部アレイを構成し、前記複数の太陽電池パネルの別の半分が下部構造枠組みに取り付けられており、それにより下部アレイを構成し、前記コンピュータはＣＰＵおよびデータ記憶素子を含む、ステップと、
前記コンピュータを用いて、前記太陽電池組立体の展開に関する少なくとも１つの展開基準を決定するステップと、
内部空間を包囲している容器に取り付けられているパネルを開くステップであって、前記容器内部空間は、前記太陽電池組立体を含む前記遠隔電力供給システムを収容している、ステップと、
前記容器内部空間内の第１の格納位置から、前記容器内部空間の外に配置されている第２の外部位置へ、構造的に支持されたレールを含む水平に配向された鋏型リフトを用いて前記太陽電池組立体を移動させるステップと、
前記第２の外部位置から第３の展開位置へ、前記太陽電池組立体を開くステップであって、上部作動装置が、前記上部アレイを、太陽暴露を受けるために最適な角度で配置し、下部作動装置が、前記下部アレイを、太陽暴露を受けるために最適な角度で配置する、ステップと、
前記コンピュータを用いて、前記太陽電池組立体の格納に関する少なくとも１つの格納基準を決定するステップと、
前記上部作動装置および前記下部作動装置を用いて、前記太陽電池組立体を閉じるステップと、
それにより、前記第３の展開位置から前記第２の外部位置へ、前記太陽電池組立体を移動させるステップと、
前記第２の外部位置から前記第１の格納位置へ、前記太陽電池組立体を格納するステップと、
前記パネルを閉じるステップと
を含む、方法。
【請求項１４】
センサを用いて事象を検出するステップと、
前記センサを用いて前記コンピュータへ通知を送信するステップと、
前記コンピュータを用いて前記通知を分析して、前記展開基準を確立するステップと
をさらに含む、請求項１３に記載の方法。
【請求項１５】
前記センサは、太陽センサ、運動センサ、および音響センサを含むリストから選択されるセンサである、請求項１４に記載の方法。
【請求項１６】
センサを用いて事象を検出するステップと、
前記センサを用いて前記コンピュータへ通知を送信するステップと、
前記コンピュータを用いて前記通知を分析して、前記格納基準を確立するステップと
をさらに含む、請求項１３に記載の方法。
【請求項１７】
前記センサは、太陽センサ、運動センサ、および音響センサを含むリストから選択されるセンサである、請求項１６に記載の方法。
【請求項１８】
遠隔天候検出システムを用いて事象を検出するステップと、
前記遠隔天候検出システムを用いて、コンピュータ通信ネットワークにより、前記コンピュータへ通知を送信するステップと、
前記コンピュータを用いて前記通知を分析して、前記格納基準を確立するステップと
をさらに含む、請求項１３に記載の方法。
【請求項１９】
遠隔天候検出システムを用いて事象を検出するステップと、
前記遠隔天候展開システムを用いて、コンピュータ通信ネットワークにより、前記コンピュータへ通知を送信するステップと、
前記コンピュータを用いて前記通知を分析して、前記格納基準を確立するステップと
をさらに含む、請求項１３に記載の方法。
【国際調査報告】
2019501622.tif 000021